(57)【要約】【課題】所定の色空間において色を構成する際の、各明度ごとの各インクの寄与率が急峻に設定された場合においても、該設定された寄与率を正確に反映したパッチ画像を出力し、階調性に優れたカラープロファイルを作成することが可能な情報処理装置を提供する。【解決手段】測色結果をカラープロファイルの作成に用いるバッチ画像を、複数の色のインクを組み合わせて印刷する印刷装置に接続される情報処理装置であって、所定の色空間において色を構成する際の、各明度ごとの前記各インクの寄与率（ＢＧＣ）を設定し（ステップＳ１０１）、前記明度の変化に対するＢＧＣ特性を解析し（ステップＳ１０２）、前記ＢＧＣ特性に基づいて、あらかじめ保持された複数のパッチ画像の中から印刷するパッチ画像データを選択する（ステップＳ１０３）機能を備える。【選択図】  図１
2004236168.tif 000002
【特許請求の範囲】
【請求項１】
測色結果がカラープロファイルの作成に用いられるパッチ画像を、複数の色のインクを組み合わせて印刷する印刷装置に接続される情報処理装置であって、
所定の色空間において色を構成する際の、各明度ごとの前記各インクの寄与率を設定する設定手段と、
前記明度の変化に対する前記各インクの寄与率の変化の大きさを解析する解析手段と、
前記寄与率の変化の大きさに基づいて、あらかじめ保持された複数のパッチ画像の中から印刷するパッチ画像を選択する選択手段と
を備えることを特徴とする情報処理装置。
【請求項２】
測色結果がカラープロファイルの作成に用いられるパッチ画像を、複数の色のインクを組み合わせて印刷する印刷装置に接続される情報処理装置であって、
所定の色空間において色を構成する際の、各明度ごとの前記各インクの寄与率を設定する設定手段と、
前記明度の変化に対する前記各インクの寄与率の変化の大きさを解析する解析手段と、
前記寄与率の変化の大きさに基づいて、印刷するパッチ画像を生成する生成手段と
を備えることを特徴とする情報処理装置。
【請求項３】
前記選択手段は、
前記明度の変化に対する前記寄与率の変化が急峻であった場合、選択するパッチ画像を増加させることを特徴とする請求項１に記載の情報処理装置。
【請求項４】
前記生成手段は、
前記明度の変化に対する前記寄与率の変化が急峻であった場合、生成するパッチ画像を増加させることを特徴とする請求項２に記載の情報処理装置。
【請求項５】
前記複数の色は、少なくともシアン、マゼンダ、イエロー、ブラックを含むことを特徴とする請求項１または２に記載の情報処理装置。
【請求項６】
前記設定手段は、所定の色空間における、明度の変化に対するブラックの寄与率を設定可能であることを特徴とする請求項１または２に記載の情報処理装置。
【請求項７】
測色結果がカラープロファイルの作成に用いられるパッチ画像を、複数の色のインクを組み合わせて印刷するための情報処理方法であって、
所定の色空間において色を構成する際の、各明度ごとの前記各インクの寄与率を設定する設定工程と、
前記明度の変化に対する前記各インクの寄与率の変化の大きさを解析する解析工程と、
前記寄与率の変化の大きさに基づいて、あらかじめ保持された複数のパッチ画像の中から印刷するパッチ画像を選択する選択工程と
を備えることを特徴とする情報処理方法。
【請求項８】
測色結果がカラープロファイルの作成に用いられるパッチ画像を、複数の色のインクを組み合わせて印刷するための情報処理方法であって、
所定の色空間において色を構成する際の、各明度ごとの前記各インクの寄与率を設定する設定工程と、
前記明度の変化に対する前記各インクの寄与率の変化の大きさを解析する解析工程と、
前記寄与率の変化の大きさに基づいて、印刷するパッチ画像を生成する生成工程と
を備えることを特徴とする情報処理方法。
【請求項９】
前記選択工程は、
前記明度の変化に対する前記寄与率の変化が急峻であった場合、選択するパッチ画像を増加させることを特徴とする請求項７に記載の情報処理方法。
【請求項１０】
前記生成工程は、
前記明度の変化に対する前記寄与率の変化が急峻であった場合、生成するパッチ画像を増加させることを特徴とする請求項８に記載の情報処理方法。
【請求項１１】
前記複数の色は、少なくともシアン、マゼンダ、イエロー、ブラックを含むことを特徴とする請求項７または８に記載の情報処理方法。
【請求項１２】
前記設定工程は、所定の色空間における、明度の変化に対するブラックの寄与率を設定可能であることを特徴とする請求項７または８に記載の情報処理方法。
【請求項１３】
請求項７乃至１２のいずれか１つに記載の情報処理方法をコンピュータによって実現させるための制御プログラム。
【請求項１４】
請求項７乃至１２のいずれか１つに記載の情報処理方法をコンピュータによって実現させるための制御プログラムを格納する記録媒体。
【発明の詳細な説明】
【０００１】
【発明の属する技術分野】
本発明は、ＩＣＣプロファイル等のカラープロファイルの作成に用いられるパッチ画像を印刷するための技術に関するものである。
【０００２】
【従来の技術】
各種デバイスにおけるカラーマネージメントにおいて重要な役割を果たすアイテムの一つとして、カラープロファイルがある。カラープロファイルはそのデバイスの色特性が記述されており、デバイスの出力色を所望の色にするためのカラーマッチング処理等に使用される。
【０００３】
一般にカラープロファイルの規格としてはＩＣＣ（Ｉｎｔｅｒｎａｔｉｏｎａｌ  Ｃｏｌｏｒ  Ｃｏｎｓｏｒｔｉｕｍ）で規格化されているプロファイルがよく知られており、カラーマッチング処理等において標準的に使用されている。
【０００４】
代表的な出力デバイスとしてプリンタが挙げられるが、当該出力デバイスの場合、一般にデバイスカラーはＣ（シアン）、Ｍ（マゼンタ）、Ｙ（イエロー）、Ｋ（ブラック）の４色で構成される。通常、プリンタのＩＣＣプロファイルを作成するにあたっては、Ｋは墨版と称され、他の色、すなわちＣ、Ｍ、Ｙとは別の扱いとされることが多く、Ｃ、Ｍ、Ｙの組み合わせで構成された色をＫでどのように置き換えるかを決めておく必要がある。Ｃ、Ｍ、Ｙの組み合わせで構成された色をＫに置き換えるための手法としては、ＧＣＲ（Ｇｒａｙ  Ｃｏｍｐｏｎｅｎｔ  Ｒｅｐｌａｃｅｍｅｎｔ）やＵＣＲ（Ｕｎｄｅｒ  Ｃｏｌｏｒ  Ｒｅｍｏｖａｌ）等がよく知られている。
【０００５】
また、その他の手法としては、ユーザが自らＫインクの入れ込み方を指定するカスタム設定が挙げられる。これは、ユーザがＢＧＣ（Ｂｌａｃｋ  Ｇｅｎｅｒａｔｉｏｎ  Ｃｕｒｖｅ）を設定することにより、任意の明度におけるＫインクの入れ込みを制御する機能である。このユーザ設定の墨の入れ込み曲線（ＢＧＣ）は、ユーザが直接曲線の任意のポイント（すなわち、任意の明度におけるＫインクの入れ込み量）を所望のポイント（所望の入れ込み量）に移動したり、ある特定の算術演算のパラメータをユーザが設定したりすることで実現される。いずれの手法においても、曲線の設定はユーザが自由に設定可能である。
【０００６】
そして、プリンタのＩＣＣプロファイルを作成する一般的な手法の一つとして、パッチ画像を印刷してそれを測色し、その測色結果を用いてＩＣＣプロファイルを演算により算出する方法が知られている。このときのパッチ画像は各色を一定間隔で分割し、それらを組み合わせたものとするのが一般的である。また、このようなパッチ画像はＩＣＣプロファイル作成ソフトウェアごとにあらかじめ決められているパッチ画像データを用いるのが普通である。
【０００７】
【特許文献１】
特開２００２−３３０３０２号公報
【０００８】
【発明が解決しようとする課題】
しかしながら、多くの場合、作業性や測色にかかる時間、手間を最小限度に抑える為、印刷されるパッチ画像の数は最低限度に限られている。また、全色空間から均質に色データを入手するために、パッチ画像のパッチ同士の色空間におけるデータ間隔は均等に割り振られることが多い。
【０００９】
このため、前述したように、ユーザが自らＫインクの入れ込み方を指定するカスタム設定機能を使用してＢＧＣ（Ｂｌａｃｋ  Ｇｅｎｅｒａｔｉｏｎ  Ｃｕｒｖｅ）を設定する場合、例えばカーブの立ち上がりを急峻に設定すると（すなわち、明度の変化に対する入れ込みの変化が大きいと）、その立ち上がりポイントがパッチ同士の間になってしまうことがある。
【００１０】
このように、立ち上がりポイントがパッチ同士の間にきてしまうと、せっかくユーザがＢＧＣを設定しても、ＩＣＣプロファイルを作成するためのパッチ画像に当該設定内容が正確に反映されず、結果的にそのパッチ画像を用いて作成されたＩＣＣプロファイルにもユーザの設定したＢＧＣが正確に反映されないという問題があった。
【００１１】
また、パッチとパッチの間で急激に立ち上がるようなＢＧＣでは、隣り合うパッチ同士で急激に色が変化するため、ＩＣＣプロファイルを作成しにくく、また、このようにして作成したＩＣＣプロファイルは擬似輪郭が発生しやすいなどの問題があった。
【００１２】
本発明は、上記課題に鑑みてなされたものであり、所定の色空間において色を構成する際の各明度ごとの各インクの寄与率が急峻に設定された場合においても、該設定された寄与率を正確に反映したパッチ画像を出力し、階調性に優れたカラープロファイルを作成することが可能な情報処理装置を提供することを目的とする。
【００１３】
【課題を解決するための手段】
上記の目的を達成するために本発明に係る情報処理装置は以下のような構成を備える。即ち、
測色結果がカラープロファイルの作成に用いられるパッチ画像を、複数の色のインクを組み合わせて印刷する印刷装置に接続される情報処理装置であって、
所定の色空間において色を構成する際の、各明度ごとの前記各インクの寄与率を設定する設定手段と、
前記明度の変化に対する前記各インクの寄与率の変化の大きさを解析する解析手段と、
前記寄与率の変化の大きさに基づいて、あらかじめ保持された複数のパッチ画像の中から印刷するパッチ画像を選択する選択手段とを備える。
【００１４】
かかる構成を備えることにより、所定の色空間において色を再構成する際の、各明度ごとの各インクの寄与率が急峻に変化するような設定がなされた場合であっても、当該急峻になるポイントでは、より細かくパッチ画像を選択することが可能となり、その結果、当該寄与率を正確に反映した、階調性に優れたカラープロファイルを作成することができる。
【００１５】
【発明の実施の形態】
【第１の実施形態】
以下図面を参照しながら本発明の実施形態について説明する。
【００１６】
図６は、本発明の実施形態にかかる情報処理装置のシステム構成を示すブロック図である。入力装置１０１は、ユーザからの指示や、データを入力する装置で、キーボードやマウスなどのポインティングシステムを含む。表示装置１０２は、ＧＵＩなどを表示する装置で、通常はＣＲＴや、液晶ディスプレイなどが用いられる。蓄積装置１０３は、画像データ、プログラムを蓄積する装置で、通常は、ハードディスクが用いられる。１０７はＩ／Ｆであり、印刷装置等の外部デバイスはＩ／Ｆ１０７を介して接続される。１０４はＣＰＵで、上述した各構成の処理の全てに関わる。ＲＯＭ１０５と、ＲＡＭ１０６は、その処理に必要なプログラム、データ、作業領域などをＣＰＵ１０４に提供する。また、以降のフローチャートの処理に必要な制御プログラムは、蓄積装置１０３に格納されているか、ＲＯＭ１０５に格納されているものとする。蓄積装置１０３に格納されている場合は、一旦ＲＡＭ１０６に読み込まれてから実行される。
【００１７】
なお、本実施形態にかかる情報処理装置のシステム構成については、上記以外にも、様々な構成要素が存在するが、本発明の主眼ではないので、その説明は省略する。
【００１８】
図１は本発明の第１の実施形態に係る情報処理装置における処理の流れを示すフローチャートである。図１において、ステップＳ１０１はユーザがＢＧＣをデフォルトのカーブから選択もしくは独自に作成するステップ、ステップＳ１０２はステップＳ１０１で選択されたＢＧＣ、もしくは独自に作成されたＢＧＣの特性を解析するステップ、ステップＳ１０３はステップＳ１０２で解析されたＢＧＣの特性に従って、カラープロファイル作成のための複数のパッチ画像データから最適なものを選択するステップ、ステップＳ１０４は選択もしくは作成されたＢＧＣ情報とステップＳ１０３にて選択されたパッチ画像データの情報とを記憶するステップ、ステップＳ１０５はステップＳ１０３にて選択されたパッチ画像データを実際にプリンタ（印刷装置）で印刷するステップ、ステップＳ１０６は印刷したパッチ画像の測色を行うステップ、ステップＳ１０７は測色されたデータをプロファイル作成ソフトウェアに読み込ませるステップ、ステップＳ１０８はステップＳ１０４にて記憶されたＢＧＣ情報及びパッチ画像データの情報とを読み出すステップ、ステップＳ１０９は読み出された情報に基づき測色データを解析してカラープロファイルを作成するステップである。
【００１９】
図２はＢＧＣ（Ｂｌａｃｋ  Ｇｅｎｅｒａｔｉｏｎ  Ｃｕｒｖｅ）の一般的な例である。また、図３はＢＧＣ（Ｂｌａｃｋ  Ｇｅｎｅｒａｔｉｏｎ  Ｃｕｒｖｅ）のカーブの変化が急峻な例である。図２、３を参照しながらフローチャートの詳細を以下に説明する。
【００２０】
なお、簡単のため、及びより具体的に説明するために接続されるプリンタ（印刷装置）はシアン（Ｃ）、マゼンタ（Ｍ）、イエロー（Ｙ）、ブラック（Ｋ）の４色もしくはそれ以上の色数で構成されているものとする。
【００２１】
ユーザはステップＳ１０１において、既存のＢＧＣの中から適当なものを選択するか、もしくは独自にＫインクの使用（入れ込み）を開始するポイント、及びＫインクデータの変化率等を入力することでＢＧＣの設定を行う。インクデータの変化率の設定は、単にγ係数を指定する場合もあれば、ユーザがＫインクの変化割合をＧＵＩ的に各ポイントごとに指定し、各ポイントをスプライン曲線で結んでいく方法もある。
【００２２】
設定されたＢＧＣはステップＳ１０２によって、その特徴が解析される。解析される情報としては、先に説明したように、Ｋインクの使用開始点、各ポイントごとにおけるＫインクデータの値（寄与率）、Ｋインクデータの変化率などが挙げられる。
【００２３】
ステップＳ１０３ではステップＳ１０２で解析された情報に基づいて最適なパッチ画像データを選択する。例えば、図２に示すような一般的なＢＧＣの場合であれば、均等なデータ間隔のパッチ画像データ（１〜９）で十分に対応できる。しかし、図３に示すようなカーブの変化が急峻な場合は、均等なデータ間隔のパッチ画像データでは、パッチとパッチの間で急激なデータ変化が発生する場合がある。このような状態になると、カラープロファイルを作成する場合に、隣接するパッチのデータが急激に変化するため、擬似輪郭が発生したり、階調性に問題が発生したり、さらには、ユーザがＫインクの立ち上がりポイントに気を使ってＢＧＣを作成したにも関わらず、立ち上がりポイントがちょうどパッチとパッチの間になってしまうことで、パッチ画像にＫインクの変化がまったく反映されず、当然測色結果にも反映されないため、結果的には作成されたカラープロファイルにはまったく反映されないことになってしまうといった問題が発生する。
【００２４】
そのために、ステップＳ１０３においてパッチ画像データを選択するにあたっては以下のような手順で行われる。まず、ステップＳ１０２により得られた各ポイントごとのＫインクデータの値（寄与率）、Ｋインクデータの変化率などの情報に基づいて、ＢＧＣが図３に示すような急峻なカーブであるか否かを判定する。ＢＧＣが急峻なカーブであると判定された場合には、急峻にデータ立ち上がるポイントを識別し、当該ポイント付近のパッチ画像データを、細かいデータ間隔で選択する（図３参照のパッチ画像データ５、６、７、１０、１１参照。なお、当該ポイント付近以外については、均等なデータ間隔でパッチ画像データを選択する）。一方、ＢＧＣが急峻なカーブでないと判定された場合には、均等なデータ間隔でパッチ画像データを選択する（図２参照）。
【００２５】
なお、あらかじめ用意されるパッチ画像データ群は、上記のことを考慮し、所定の色空間における特定のエリアでは、均等なデータ間隔ではなく、細分化されたデータ間隔でパッチ画像データを保持することとなる。
【００２６】
本実施形態のようにＫインクに的を絞っている場合は、実際にＫインクが使用され始める確率が高いのは比較的高濃度部であるので、高濃度部においては細分化されたデータ間隔でパッチ画像データが多数用意されることとなる。
【００２７】
ステップＳ１０３で最適なパッチ画像データが選択されると、ステップＳ１０４ではユーザにより設定されたＢＧＣの情報、インクの２次色のり量、インクの４次色のり量などの設定データと共に該パッチ画像データが記憶される。これにより、そのパッチ画像データがどのような特性のパッチ画像かをすぐに識別することができる。本実施形態の場合、あらかじめ用意された複数のパッチ画像データから選択されるので、あらかじめ作成されたパッチ画像データに付随されているパッチ画像データ情報を記憶する形式でもよい。記憶された情報はカラープロファイルを作成する段階で必要となる。
【００２８】
ステップＳ１０５では、選択されたパッチ画像データを実際にプリンタ（印刷装置）に印刷する。ステップＳ１０６では印刷された結果を測色機により測色する。
【００２９】
測色結果はステップＳ１０７において、プロファイル作成ソフトウェアに読み込まれる。読み込まれた情報を処理するために、ステップＳ１０８では記憶されているＢＧＣ情報およびパッチ画像データ情報を読み出す。これにより、読み込まれた測色結果がどのようなデータ間隔のパッチ画像データであるかが識別できる。これらの条件を踏まえて、プロファイル作成ソフトウェアは与えられた測色データをもとにカラープロファイルを作成する。
【００３０】
以上のような構成により、立ち上がりが急峻なＢＧＣを設定した場合でも、立ち上がり部分において細分化されたデータ間隔でパッチ画像データを選択することで、ユーザが設定した内容がパッチ画像に反映されやすくなり、ユーザの設定に忠実な高精度なカラープロファイルを作成することが可能になる。
【００３１】
なお、上記実施形態ではＫインクの場合を想定したが、本発明はそれにとらわれることなく他の色に注目した場合でも適応できることはいうまでもない。
【００３２】
【第２の実施形態】
以下図面を参照しながら本発明の第２の実施形態について説明する。
【００３３】
図４は本発明の第２の実施形態に係る情報処理装置における処理の流れを示すフローチャートである。図４において、図１と異なる部分について説明する。ステップＳ４０１はユーザがデフォルトのカーブから選択もしくは独自に作成したＢＧＣの特性を解析した結果に従って、新たにパッチ画像データを作成するステップである。
【００３４】
図５は設定されたＢＧＣの特性に従って、パッチ画像データを作成するまでの概略フローチャートである。図５において、ステップＳ５０１はユーザにより作成されたＢＧＣデータを読み込むステップ、ステップＳ５０２はＢＧＣを解析して、Ｋインクの使用開始点を求めるステップ、ステップＳ５０３はＢＧＣを解析して、Ｋインクデータの変化率を算出するステップ、ステップＳ５０４はステップＳ５０３で得られたＫインクデータの変化率に基づきパッチ画像データのデータ間隔を算出するステップ、ステップＳ５０５はステップＳ５０４の結果に基づきパッチ画像データを作成するステップ、ステップＳ５０６は作成したパッチ画像データの情報を記憶するステップである。
【００３５】
上記フローチャートについて、図２、図３を参照しながら以下にその詳細を説明する。なお、簡単のため、及びより具体的に説明するために接続されるプリンタ（印刷装置）は、シアン（Ｃ）、マゼンタ（Ｍ）、イエロー（Ｙ）、ブラック（Ｋ）の４色もしくはそれ以上の色数で構成されているものとする。
【００３６】
ユーザはステップＳ１０１において、既存のＢＧＣの中から適当なものを選択するか、もしくは独自にＫインクの使用を開始するポイント、及びＫインクデータの変化率等を入力することでＢＧＣの設定を行う。インクデータの変化率の設定は、単にγ係数を指定する場合もあれば、ユーザがＫインクの変化割合をＧＵＩ的にポイントごとに指定し、各ポイントをスプライン曲線で結んでいく方法もある。
【００３７】
設定されたＢＧＣはステップＳ１０２によって、その特徴が解析される。ステップＳ１０３ではステップＳ１０２で解析された情報に基づいて最適なパッチ画像データを作成する。パッチ画像データ作成までの流れは図５にて説明する。例えば、図２に示すような一般的なＢＧＣの場合であれば、均等なデータ間隔のパッチ画像データとなるが、図３に示すようなカーブの変化が急峻な場合は、均等なデータ間隔のパッチ画像データを生成したのでは、パッチとパッチの間で急激なデータ変化が発生する場合がありえる。このような状態になると、カラープロファイルを作成する場合に、隣接するパッチのデータが急激に変化するため、擬似輪郭が発生したり、階調性に問題が発生したり、さらには、ユーザがＫインクの立ち上がりポイントに気を使ってＢＧＣを作成したにもかかわらず、立ち上がりポイントがちょうどパッチとパッチの間になってしまうことで、パッチ画像にＫインクの変化がまったく反映されず、当然測色結果にも反映されないため、結果的には作成されたカラープロファイルにはまったく反映されないことになってしまうといった問題が発生する。
【００３８】
そのために、図３に示すような急峻なカーブの場合は、ステップＳ１０２により得られた各ポイントごとのＫインクデータの値（寄与率）、Ｋインクデータの変化率などの情報から急峻にデータが立ち上がるポイント付近のパッチ画像データは十分に細かいデータ間隔で作成する。詳細を図５に従って説明する。
【００３９】
ステップＳ５０１において、ユーザの設定したＢＧＣのデータを読み込む。次にステップＳ５０２、ステップＳ５０３においてその特徴を解析する。ステップＳ５０２では、Ｋインクの使用開始点を算出する。これにより、パッチ画像データのデータ間隔を細分化する際に、細分化処理をはじめるポイントを特定することが可能になる。
【００４０】
ステップＳ５０３ではユーザにより設定されたＢＧＣのＫデータの変化率（図２のｃ／ａ、図３のｂ／ａ）を算出する。これによって、Ｋインクデータがどのように変化するかがわかるので、その変化の度合いに従って、続くステップＳ５０４にてパッチ画像データのデータ間隔を算出する。算出されたパッチ画像データのデータ間隔にしたがって、ステップＳ５０５にてパッチ画像データを作成する。作成されたパッチ画像データはステップＳ５０６において、そのデータ間隔の情報や、パッチの色データ情報が記憶される。
【００４１】
ここで第１の実施形態と大きく異なる点は、データ間隔を決定したのちにパッチ画像データを作成するので、必要以外の場所において細かいデータ間隔でパッチ画像データを用意しておく必要がなく、本当に必要な部分について最適化されたデータ間隔のパッチ画像データが生成される点にある。もちろん、事前に選択されるパッチ画像データ群を持つ必要も無いのでプログラムサイズも必要以上に大きくならなくてすむ。
【００４２】
ステップＳ４０１で最適なパッチ画像データが作成されると、ステップＳ１０４ではユーザにより設定されたＢＧＣの情報、インクの２次色のり量、インクの４次色のり量などの設定データと共に記憶される。これにより、そのパッチ画像がどのような特性のパッチ画像かをすぐに識別することができる。なお、記憶された情報はカラープロファイルを作成する段階で必要となる。
【００４３】
ステップＳ１０５では、作成されたパッチ画像データを実際にプリンタ（印刷装置）に印刷する。ステップＳ１０６では印刷された結果を測色機により測色する。
【００４４】
測色結果はステップＳ１０７において、プロファイル作成ソフトウェアに読み込まれる。読み込まれた情報を処理するために、ステップＳ１０８では記憶されているＢＧＣ情報、パッチ画像データ情報を読み出す。これにより、読み込まれた測色結果がどのようなデータ間隔のパッチ画像データであるかが識別できる。これらの条件を踏まえて、プロファイル作成ソフトウェアは与えられた測色データをもとにカラープロファイルを作成する。
【００４５】
以上のような構成により、立ち上がりが急峻なＢＧＣを設定した場合でも、立ち上がり部分において細分化されたデータ間隔でパッチ画像データを生成することが可能となり、その結果、ユーザが設定した内容がパッチ画像に反映されやすくなり、ユーザの設定に忠実な高精度なカラープロファイルを作成することが可能になる。
【００４６】
なお、上記第２の実施形態ではＫインクの場合を想定したが、本発明はそれにとらわれることなく他の色に注目した場合でも適応できることはいうまでもない。
【００４７】
【他の実施形態】
なお、本発明は、複数の機器（例えばホストコンピュータ、インタフェイス機器、リーダ、プリンタなど）から構成されるシステムに適用しても、一つの機器からなる装置（例えば、複写機、ファクシミリ装置など）に適用してもよい。
【００４８】
また、本発明の目的は、前述した実施形態の機能を実現するソフトウェアのプログラムコードを記録した記憶媒体を、システムあるいは装置に供給し、そのシステムあるいは装置のコンピュータ（またはＣＰＵやＭＰＵ）が記憶媒体に格納されたプログラムコードを読出し実行することによっても、達成されることは言うまでもない。
【００４９】
この場合、記憶媒体から読出されたプログラムコード自体が前述した実施形態の機能を実現することになり、そのプログラムコードを記憶した記憶媒体は本発明を構成することになる。
【００５０】
プログラムコードを供給するための記憶媒体としては、例えば、フロッピ（登録商標）ディスク、ハードディスク、光ディスク、光磁気ディスク、ＣＤ−ＲＯＭ、ＣＤ−Ｒ、磁気テープ、不揮発性のメモリカード、ＲＯＭなどを用いることができる。
【００５１】
また、コンピュータが読出したプログラムコードを実行することにより、前述した実施形態の機能が実現されるだけでなく、そのプログラムコードの指示に基づき、コンピュータ上で稼働しているＯＳ（オペレーティングシステム）などが実際の処理の一部または全部を行い、その処理によって前述した実施形態の機能が実現される場合も含まれることは言うまでもない。
【００５２】
さらに、記憶媒体から読出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵなどが実際の処理の一部または全部を行い、その処理によって前述した実施形態の機能が実現される場合も含まれることは言うまでもない。
【００５３】
【発明の効果】
以上説明したように本発明によれば、所定の色空間において色を構成する際の各明度ごとの各インクの寄与率が急峻に設定された場合においても、該設定された寄与率を正確に反映したパッチ画像を出力し、階調性に優れたカラープロファイルを作成することが可能となる。
【図面の簡単な説明】
【図１】本発明の第１の実施形態にかかる情報処理装置における処理の流れを示すフローチャートである。
【図２】設定されるＢｌａｃｋ  Ｇｅｎｅｒａｔｉｏｎ  Ｃｕｒｖｅの例を示す図である。
【図３】設定されるＢｌａｃｋ  Ｇｅｎｅｒａｔｉｏｎ  Ｃｕｒｖｅの例を示す図である。
【図４】本発明の第２の実施形態に係る情報処理装置における処理の流れを示すフローチャートである。
【図５】本発明の第２の実施形態に係る情報処理装置における処理の流れを示すフローチャートである。
【図６】本発明の実施形態にかかる情報処理装置のシステム構成を示すブロック図である。
【符号の説明】
Ｓ１０１：ＢＧＣの選択、作成ステップ
Ｓ１０２：ＢＧＣ特性解析ステップ
Ｓ１０３：パッチ画像データ選択ステップ
Ｓ１０４：情報記憶ステップ
Ｓ１０５：印刷ステップ
Ｓ１０６：測色ステップ
Ｓ１０７：測色データ読み込みステップ
Ｓ１０８：記憶情報読み出しステップ
Ｓ１０９：プロファイル作成ステップ
Ｓ４０１：パッチ画像データ作成ステップ
Ｓ５０１：ＢＧＣ読み込みステップ
Ｓ５０２：Ｋインク使用開始点算出ステップ
Ｓ５０３：Ｋデータの変化率算出ステップ
Ｓ５０４：データ間隔算出ステップ
Ｓ５０５：パッチ画像データ作成ステップ
Ｓ５０６：パッチ画像情報記憶ステップ
【図１】
2004236168.tif 000003
【図２】
2004236168.tif 000004
【図３】
2004236168.tif 000005
【図４】
2004236168.tif 000006
【図５】
2004236168.tif 000007
【図６】
2004236168.tif 000008